(57)【要約】【課題】受信したメールの選別および削除に要する操作者の負担を軽減することができる携帯端末装置および受信メールの処理方法を提供する。【解決手段】受信メール記録部２１には、受信した複数のメールが、各メールの送信元メールアドレスとともに記録される。削除メール記録部２２には、受信した複数のメールのうち、予め定める条件に基づいて受信メール記録部２１から送信元メールアドレスとともに削除されたメールの送信元メールアドレスが記録される。受信メール処理部３７は、削除メール判定部３２によって、受信メール記録部２１に記録される送信元メールアドレスが、削除メール記録部２２に記録される送信元メールアドレス中に存在すると判定されたとき、前記存在すると判定された送信元メールアドレスのメールを、その送信元メールアドレスとともに受信メール記録部２１から削除する。【選択図】　　　図１
2004086361.tif 000002
【特許請求の範囲】
【請求項１】
受信した複数のメールが、各メールの送信元メールアドレスとともに記録される受信メール記録部と、
前記受信した複数のメールのうち、予め定める条件に基づいて受信メール記録部から送信元メールアドレスとともに削除されたメールの送信元メールアドレスが記録される削除メール記録部と、
受信メール記録部に記録される送信元メールアドレスが、削除メール記録部に記録される送信元メールアドレス中に存在するか否かを判定する削除メール判定部と、
削除メール判定部によって、受信メール記録部に記録される送信元メールアドレスが、削除メール記録部に記録される送信元メールアドレス中に存在すると判定されたとき、前記存在すると判定された送信元メールアドレスのメールを、送信元メールアドレスとともに受信メール記録部から削除する受信メール処理部とを含むことを特徴とする携帯端末装置。
【請求項２】
前記受信メール処理部は、前記受信メール記録部に記録されるメールが開封されることなく送信元メールアドレスとともに削除されたとき、前記削除されたメールの送信元メールアドレスを前記削除メール記録部へ追加することを特徴とする請求項１記載の携帯端末装置。
【請求項３】
前記受信メール処理部は、予め定める時間が設定され、前記受信メール記録部に記録されるメールが開封されてから送信元メールアドレスとともに削除されるまでの時間を計測し、前記受信メール記録部に記録されるメールが開封されてから前記予め定める時間内に送信元メールアドレスとともに削除されたとき、前記削除されたメールの送信元メールアドレスを前記削除メール記録部へ追加することを特徴とする請求項１記載の携帯端末装置。
【請求項４】
登録メールアドレスが記録されるアドレス帳記録部と、
前記受信メール記録部に記録される送信元メールアドレスが、アドレス帳記録部に記録される登録メールアドレス中に存在するか否かを判定するアドレス帳判定部とをさらに含み、
前記受信メール処理部は、アドレス帳判定部によって、前記受信メール記録部に記録される送信元メールアドレスが、アドレス帳記録部に記録される登録メールアドレス中に存在しないと判定されたとき、前記存在しないと判定された送信元メールアドレスのメールを、送信元メールアドレスとともに前記受信メール記録部から削除するとともに、送信元メールアドレスを前記削除メール記録部へ追加することを特徴とする請求項１記載の携帯端末装置。
【請求項５】
登録メールアドレスが記録されるアドレス帳記録部と、
前記削除メール記録部およびアドレス帳記録部のいずれにも記録されていない未記録メールアドレスに対応する送信先にメールを送信したとき、送信先のメールアドレスである送信メールアドレスが記録される送信アドレス記録部と、
前記受信メール記録部に記録される送信元メールアドレスが、アドレス帳記録部に記録される登録メールアドレス中に存在するか否かを判定するアドレス帳判定部と、
前記受信メール記録部に記録される送信元メールアドレスが、送信アドレス記録部に記録される送信メールアドレス中に存在するか否かを判定する送信アドレス判定部とをさらに含み、
前記受信メール処理部は、アドレス帳判定部によって、前記受信メール記録部に記録される送信元メールアドレスが、アドレス帳記録部に記録される登録メールアドレス中に存在しないと判定され、かつ送信アドレス判定部によって、前記受信メール記録部に記録される送信元メールアドレスが、送信アドレス記録部に記録される送信メールアドレス中に存在しないと判定されたとき、前記存在しないと判定された送信元メールアドレスのメールを、送信元メールアドレスとともに前記受信メール記録部から削除するとともに、送信元メールアドレスを前記削除メール記録部へ追加することを特徴とする請求項１記載の携帯端末装置。
【請求項６】
登録メールアドレスが記録されるアドレス帳記録部と、
前記削除メール記録部およびアドレス帳記録部のいずれにも記録されていない未記録メールアドレスに対応する送信元からメールを受信したとき、送信元のメールアドレスである受信メールアドレスが記録される受信アドレス記録部と、
前記受信メール記録部に記録される送信元メールアドレスが、受信アドレス記録部に記録される受信メールアドレス中に存在するか否かを判定する受信アドレス判定部とをさらに含み、
前記受信メール処理部は、受信アドレス判定部によって、前記受信メール記録部に記録される送信元メールアドレスが、受信アドレス記録部に記録される受信メールアドレス中に存在すると判定されたとき、前記存在すると判定された送信元メールアドレスのメールを、送信元メールアドレスとともに前記受信メール記録部から削除するとともに、送信元メールアドレスを前記削除メール記録部へ追加することを特徴とする請求項１記載の携帯端末装置。
【請求項７】
予め定める文字列が設定され、前記受信メール記録部に記録されるメールの題名に前記予め定める文字列が存在するか否かを判定する題名判定部をさらに含み、
前記受信メール処理部は、題名判定部によって、前記受信メール記録部に記録されるメールの題名に前記予め定める文字列が存在すると判定されたとき、前記予め定める文字列が存在すると判定されたメールを、送信元メールアドレスとともに前記受信メール記録部から削除するとともに、送信元メールアドレスを前記削除メール記録部へ追加することを特徴とする請求項１記載の携帯端末装置。
【請求項８】
予め定める文字列が設定され、前記受信メール記録部に記録されるメールの本文に前記予め定める文字列が存在するか否かを判定する本文判定部をさらに含み、
前記受信メール処理部は、本文判定部によって、前記受信メール記録部に記録されるメールの本文に前記予め定める文字列が存在すると判定されたとき、前記予め定める文字列が存在すると判定されたメールを、送信元メールアドレスとともに前記受信メール記録部から削除するとともに、送信元メールアドレスを前記削除メール記録部へ追加することを特徴とする請求項１記載の携帯端末装置。
【請求項９】
複数の携帯端末装置間で相互にメールアドレスを指定してメールを送信しかつ受信する携帯端末装置の受信メールの処理方法において、
受信した複数のメールのうち、予め定める条件に基づいて削除されたメールの送信元メールアドレスを記録しておき、
受信したメールを、その送信元メールアドレスとともに記録し、
前記記録したメールの送信元メールアドレスが、前記予め定める条件に基づいて削除されたメールの送信元メールアドレス中に存在するか否かを判定し、
前記記録したメールの送信元メールアドレスが、前記予め定める条件に基づいて削除されたメールの送信元メールアドレス中に存在すると判定したとき、前記存在すると判定した送信元メールアドレスのメールを、その送信元メールアドレスとともに削除することを特徴とする受信メールの処理方法。
【請求項１０】
前記記録したメールが開封されることなく送信元メールアドレスとともに削除されたとき、削除されたメールの送信元メールアドレスを、前記予め定める条件に基づいて削除されたメールの送信元メールアドレスとして記録することを特徴とする請求項９記載の受信メールの処理方法。
【請求項１１】
予め定める時間を設定しておき、
前記記録したメールが開封されてから送信元メールアドレスとともに削除されるまでの時間を計測し、
前記記録したメールが開封されてから送信元メールアドレスとともに削除されるまでの時間が前記予め定める時間内であるとき、削除されたメールの送信元メールアドレスを、前記予め定める条件に基づいて削除されたメールの送信元メールアドレスとして記録することを特徴とする請求項９記載の受信メールの処理方法。
【請求項１２】
登録メールアドレスを記録しておき、
前記記録したメールの送信元メールアドレスが、前記登録メールアドレス中に存在するか否かを判定し、
前記記録したメールの送信元メールアドレスが、前記登録メールアドレス中に存在しないと判定したとき、前記存在しないと判定した送信元メールアドレスのメールを、その送信元メールアドレスとともに削除するとともに、その送信元メールアドレスを、前記予め定める条件に基づいて削除されたメールの送信元メールアドレスとして記録することを特徴とする請求項９記載の受信メールの処理方法。
【請求項１３】
登録メールアドレスを記録しておき、さらに前記予め定める条件に基づいて削除されたメールの送信元メールアドレスおよび前記登録メールアドレスのいずれでもない未記録メールアドレスに対応する送信先にメールを送信したとき、その送信先のメールアドレスを送信メールアドレスとして記録しておき、
前記記録したメールの送信元メールアドレスが、前記登録メールアドレス中に存在するか否かを判定し、
前記記録したメールの送信元メールアドレスが、前記送信メールアドレス中に存在するか否かを判定し、
前記記録したメールの送信元メールアドレスが、前記登録メールアドレス中に存在しないと判定し、かつ前記記録したメールの送信元メールアドレスが、前記送信メールアドレス中に存在しないと判定したとき、前記存在しないと判定した送信元メールアドレスのメールを、その送信元メールアドレスとともに削除するとともに、その送信元メールアドレスを、前記予め定める条件に基づいて削除されたメールの送信元メールアドレスとして記録することを特徴とする請求項９記載の受信メールの処理方法。
【請求項１４】
登録メールアドレスを記録しておき、さらに前記予め定める条件に基づいて削除されたメールの送信元メールアドレスおよび前記登録メールアドレスのいずれでもない未記録メールアドレスに対応する送信元からメールを受信したとき、その送信元のメールアドレスを受信メールアドレスとして記録しておき、
前記記録したメールの送信元メールアドレスが、前記受信メールアドレス中に存在するか否かを判定し、
前記記録したメールの送信元メールアドレスが、前記受信メールアドレス中に存在すると判定したとき、前記存在すると判定した送信元メールアドレスのメールを、その送信元メールアドレスとともに削除するとともに、その送信元メールアドレスを、前記予め定める条件に基づいて削除されたメールの送信元メールアドレスとして記録することを特徴とする請求項９記載の受信メールの処理方法。
【請求項１５】
予め定める文字列を設定しておき、
前記記録したメールの題名に前記予め定める文字列が存在するか否かを判定し、
前記記録したメールの題名に前記予め定める文字列が存在すると判定したとき、前記予め定める文字列が存在すると判定したメールを、その送信元メールアドレスとともに削除するとともに、その送信元メールアドレスを、前記予め定める条件に基づいて削除されたメールの送信元メールアドレスとして記録することを特徴とする請求項９記載の受信メールの処理方法。
【請求項１６】
予め定める文字列を設定しておき、
前記記録したメールの本文に前記予め定める文字列が存在するか否かを判定し、
前記記録したメールの本文に前記予め定める文字列が存在すると判定したとき、前記予め定める文字列が存在すると判定したメールを、その送信元メールアドレスとともに削除するとともに、その送信元メールアドレスを、前記予め定める条件に基づいて削除されたメールの送信元メールアドレスとして記録することを特徴とする請求項９記載の受信メールの処理方法。
【請求項１７】
携帯端末装置に備えられるコンピュータを、
受信した複数のメールが、各メールの送信元メールアドレスとともに記録される受信メール記録部、
前記受信した複数のメールのうち、予め定める条件に基づいて受信メール記録部から送信元メールアドレスとともに削除されたメールの送信元メールアドレスが記録される削除メール記録部、
受信メール記録部に記録される送信元メールアドレスが、削除メール記録部に記録される送信元メールアドレス中に存在するか否かを判定する削除メール判定部、
削除メール判定部によって、受信メール記録部に記録される送信元メールアドレスが、削除メール記録部に記録される送信元メールアドレス中に存在すると判定されたとき、前記存在すると判定された送信元メールアドレスのメールを、送信元メールアドレスとともに受信メール記録部から削除する受信メール処理部として機能させることを特徴とする受信メール処理プログラム。
【発明の詳細な説明】
【０００１】
【発明の属する技術分野】
本発明は、メールの送受信が可能である携帯端末装置および受信メールの処理方法に関する。
【０００２】
【従来の技術】
近年、メール機能を有する携帯電話機は急速に普及している。この携帯電話機には、個人が所有するという特性上の宣伝効果があり、したがって携帯電話機の急激な増加に伴って、迷惑メールと呼ばれるダイレクトメール（Ｄｉｒｅｃｔ　Ｍａｉｌ、略称ＤＭ）なども増加している。
【０００３】
メールシステムでは、メールサーバに複数の操作者のメールボックスが設けられ、各操作者当てのメールは各メールボックスに割り振って保管される。各操作者は、各自都合のいい時に各自の通信端末装置からメールサーバにアクセスし、各操作者に割り当てられたメールボックスに保存されているメールを、確認して、通信端末装置へ取り込む。
【０００４】
携帯電話のメールシステムでは、インターネット経由のメールは各携帯電話会社のサービスセンタを介して行われる。この携帯電話のメールシステムでは、前述のようなメールシステムに加えて、電話の着信と同様の処理がある。つまり、送信元からインターネットを介して携帯電話機にメールを送信する場合、サービスセンタは、メールを受信した時に、そのメールの送信先となる携帯電話機にメールの着信通知を行い、メールの一部あるいは全てを受信させる処理を行う。
【０００５】
このような携帯電話のメールシステムでは、迷惑メールと呼ばれるダイレクトメールなどの不要なメールを受信したときでも、ほぼリアルタイムに時間を選ばずメールの着信通知が行われてしまう。
【０００６】
従来の技術では、携帯電話機の操作者が各自の携帯電話機からサービスセンタに接続し、受信を拒否する相手のメールアドレスおよび受信を許可する相手のメールアドレスを設定することによって、サービスセンタにおいてメール受信の拒否および許可設定を行うことができるようになっている。
【０００７】
また他の従来の技術として、受信したメールの送信元メールアドレスと、予め設定された受信拒否アドレスおよび受信許可アドレスの少なくとも一方とに基づいて、受信を許可すべきメールであるか、受信を拒否すべきメールであるかを判定する電子メール装置が開示されている。この電子メール装置は、受信を許可すべきメールを格納する受信許可メールボックスと、受信を拒否すべきメールを格納する受信拒否メールボックスとを有し、前記判定結果に基づいて、前記受信したメールを受信許可メールボックスおよび受信拒否メールボックスのいずれか一方に分配して、格納する。この従来の技術は、特開平１１−３３１２４１号公報に開示されている。
【０００８】
【発明が解決しようとする課題】
これらの従来の技術では、操作者が受信を拒否する相手のメールアドレスを設定することによって、その相手からのメールの受信を拒否することができるが、メールの送信者は、送信元メールアドレスを自由に設定することができるので、悪質な送信者の場合、毎回適当なメールアドレスを送信元メールアドレスに設定することもある。したがって不要なメールをサービスセンタで拒否するのは非常に困難であり、携帯電話機の操作者は不要なメールの選別および削除などの処理を強いられるという問題がある。
【０００９】
本発明の目的は、受信したメールの選別および削除に要する操作者の負担を軽減することができる携帯端末装置および受信メールの処理方法を提供することである。
【００１０】
【課題を解決するための手段】
本発明は、受信した複数のメールが、各メールの送信元メールアドレスとともに記録される受信メール記録部と、
前記受信した複数のメールのうち、予め定める条件に基づいて受信メール記録部から送信元メールアドレスとともに削除されたメールの送信元メールアドレスが記録される削除メール記録部と、
受信メール記録部に記録される送信元メールアドレスが、削除メール記録部に記録される送信元メールアドレス中に存在するか否かを判定する削除メール判定部と、
削除メール判定部によって、受信メール記録部に記録される送信元メールアドレスが、削除メール記録部に記録される送信元メールアドレス中に存在すると判定されたとき、前記存在すると判定された送信元メールアドレスのメールを、送信元メールアドレスとともに受信メール記録部から削除する受信メール処理部とを含むことを特徴とする携帯端末装置である。
【００１１】
本発明に従えば、受信したメールは、その送信元メールアドレスとともに受信メール記録部に記録される。受信メール記録部に記録されるメールは、その送信元メールアドレスが、削除メール記録部に記録される送信元メールアドレス中に存在すれば、受信メール処理部によって送信元メールアドレスとともに受信メール記録部から削除される。前記削除メール記録部には、受信した複数のメールのうち、予め定める条件に基づいて受信メール記録部から削除されたメールの送信元メールアドレスが記録されている。
【００１２】
したがって受信したメールのうち、予め定める条件に基づいて一度削除されたメールと同じ送信元メールアドレスとともに受信したメールは、受信メール処理部によって送信元メールアドレスとともに受信メール記録部から削除される。これによって受信したメールを操作者にとって必要なメールおよび不要なメールのいずれかに選別すること、および受信したメールのうち操作者にとって不要なメールを削除することに要する操作者の負担を軽減することができる。
【００１３】
また本発明は、前記受信メール処理部は、前記受信メール記録部に記録されるメールが開封されることなく送信元メールアドレスとともに削除されたとき、前記削除されたメールの送信元メールアドレスを前記削除メール記録部へ追加することを特徴とする。
【００１４】
本発明に従えば、受信メール記録部に記録されるメールが開封されることなく削除されたとき、受信メール処理部が、前記削除されたメールの送信元メールアドレスを削除メール記録部へ追加する。したがって操作者の負担を増加させることなく、前記削除されたメールの送信元メールアドレスを削除メール記録部へ追加することができる。
【００１５】
操作者は、受信したメールが不要なメールであれば、そのメールを開封しないで削除するという傾向がある。本発明は、このような傾向を考慮しており、したがって削除メール記録部には、受信したメールのうち操作者にとって不要なメールの送信元メールアドレスが追加される。これによって前記不要なメールの送信元メールアドレスと同じ送信元メールアドレスとともに再度受信したメールを、受信メール処理部によって削除することができる。
【００１６】
また本発明は、前記受信メール処理部は、予め定める時間が設定され、前記受信メール記録部に記録されるメールが開封されてから送信元メールアドレスとともに削除されるまでの時間を計測し、前記受信メール記録部に記録されるメールが開封されてから前記予め定める時間内に送信元メールアドレスとともに削除されたとき、前記削除されたメールの送信元メールアドレスを前記削除メール記録部へ追加することを特徴とする。
【００１７】
本発明に従えば、受信メール記録部に記録されるメールが開封されてから予め定める時間内に削除されたとき、受信メール処理部が、前記削除されたメールの送信元メールアドレスを削除メール記録部へ追加する。したがって操作者の負担を増加させることなく、前記削除されたメールの送信元メールアドレスを削除メール記録部へ追加することができる。
【００１８】
操作者は、受信したメールを開封したとき、その開封したメールが不要なメールであれば、開封してから比較的短い時間でその開封したメールを削除するという傾向がある。本発明は、このような傾向を考慮しており、したがって削除メール記録部には、受信したメールのうち操作者にとって不要なメールの送信元メールアドレスが追加される。これによって前記不要なメールの送信元メールアドレスと同じ送信元メールアドレスとともに再度受信したメールを、受信メール処理部によって削除することができる。
【００１９】
また本発明は、登録メールアドレスが記録されるアドレス帳記録部と、
前記受信メール記録部に記録される送信元メールアドレスが、アドレス帳記録部に記録される登録メールアドレス中に存在するか否かを判定するアドレス帳判定部とをさらに含み、
前記受信メール処理部は、アドレス帳判定部によって、前記受信メール記録部に記録される送信元メールアドレスが、アドレス帳記録部に記録される登録メールアドレス中に存在しないと判定されたとき、前記存在しないと判定された送信元メールアドレスのメールを、送信元メールアドレスとともに前記受信メール記録部から削除するとともに、送信元メールアドレスを前記削除メール記録部へ追加することを特徴とする。
【００２０】
本発明に従えば、受信メール記録部に記録される送信元メールアドレスが、アドレス帳記録部に記録される登録メールアドレス中に存在しないとき、受信メール処理部が、前記存在しない送信元メールアドレスのメールを、受信メール記録部から削除するとともに、その送信元メールアドレスを削除メール記録部へ追加する。したがって操作者の負担を増加させることなく、前記存在しない送信元メールアドレスを削除メール記録部へ追加することができる。
【００２１】
操作者は、友人および知人のメールアドレスをアドレス帳記録部に記録しておくという傾向がある。したがってこのアドレス帳記録部に記録されていないメールアドレスは、友人および知人のメールアドレスではない可能性が高い。友人および知人からではないメールは、操作者にとって不要なメールであることが多い。
【００２２】
本発明は、これらのことを考慮しており、したがって受信したメールのうち操作者にとって不要なメールが受信メール記録部から削除されるとともに、そのメールの送信元メールアドレスが削除メール記録部へ追加される。これによって操作者にとって不要なメールを確実に削除することができる。
【００２３】
また本発明は、登録メールアドレスが記録されるアドレス帳記録部と、
前記削除メール記録部およびアドレス帳記録部のいずれにも記録されていない未記録メールアドレスに対応する送信先にメールを送信したとき、送信先のメールアドレスである送信メールアドレスが記録される送信アドレス記録部と、
前記受信メール記録部に記録される送信元メールアドレスが、アドレス帳記録部に記録される登録メールアドレス中に存在するか否かを判定するアドレス帳判定部と、
前記受信メール記録部に記録される送信元メールアドレスが、送信アドレス記録部に記録される送信メールアドレス中に存在するか否かを判定する送信アドレス判定部とをさらに含み、
前記受信メール処理部は、アドレス帳判定部によって、前記受信メール記録部に記録される送信元メールアドレスが、アドレス帳記録部に記録される登録メールアドレス中に存在しないと判定され、かつ送信アドレス判定部によって、前記受信メール記録部に記録される送信元メールアドレスが、送信アドレス記録部に記録される送信メールアドレス中に存在しないと判定されたとき、前記存在しないと判定された送信元メールアドレスのメールを、送信元メールアドレスとともに前記受信メール記録部から削除するとともに、送信元メールアドレスを前記削除メール記録部へ追加することを特徴とする。
【００２４】
本発明に従えば、受信メール記録部に記録される送信元メールアドレスが、アドレス帳記録部に記録される登録メールアドレス中に存在せず、かつ受信メール記録部に記録される送信元メールアドレスが、送信アドレス記録部に記録される送信メールアドレス中に存在しないとき、受信メール処理部が、前記存在しない送信元メールアドレスのメールを受信メール記録部から削除するとともに、その送信元メールアドレスを削除メール記録部へ追加する。したがって操作者の負担を増加させることなく、前記存在しない送信元メールアドレスを削除メール記録部へ追加することができる。
【００２５】
操作者は、友人および知人のメールアドレスをアドレス帳記録部に記録しておくという傾向がある。このアドレス帳記録部に記録されていないメールアドレスであっても、過去に送信したことがある送信先のメールアドレスは、友人および知人のメールアドレスである可能性が高い。
【００２６】
アドレス帳記録部に記録されていなく、かつ送信アドレス記録部にも記録されていない未記録メールアドレスは、友人および知人のメールアドレスではない可能性がより高い。友人および知人からではないメールは、操作者にとって不要なメールであることが多い。
【００２７】
本発明は、これらのことを考慮しており、したがって受信したメールのうち操作者にとってより確実に不要なメールが受信メール記録部から削除されるとともに、そのメールの送信元メールアドレスが削除メール記録部へ追加される。
【００２８】
また本発明は、登録メールアドレスが記録されるアドレス帳記録部と、
前記削除メール記録部およびアドレス帳記録部のいずれにも記録されていない未記録メールアドレスに対応する送信元からメールを受信したとき、送信元のメールアドレスである受信メールアドレスが記録される受信アドレス記録部と、
前記受信メール記録部に記録される送信元メールアドレスが、受信アドレス記録部に記録される受信メールアドレス中に存在するか否かを判定する受信アドレス判定部とをさらに含み、
前記受信メール処理部は、受信アドレス判定部によって、前記受信メール記録部に記録される送信元メールアドレスが、受信アドレス記録部に記録される受信メールアドレス中に存在すると判定されたとき、前記存在すると判定された送信元メールアドレスのメールを、送信元メールアドレスとともに前記受信メール記録部から削除するとともに、送信元メールアドレスを前記削除メール記録部へ追加することを特徴とする。
【００２９】
本発明に従えば、受信メール記録部に記録される送信元メールアドレスが、受信アドレス記録部に記録される受信メールアドレス中に存在するとき、受信メール処理部が、前記存在する送信元メールアドレスのメールを受信メール記録部から削除するとともに、その送信元メールアドレスを削除メール記録部へ追加する。したがって操作者の負担を増加させることなく、前記存在する送信元メールアドレスを削除メール記録部へ追加することができる。
【００３０】
操作者は、友人および知人のメールアドレスをアドレス帳記録部に記録しておくという傾向がある。受信アドレス記録部には、未記録メールアドレスに対応する送信元からメールを受信したとき、その送信元のメールアドレスである受信メールアドレスが記録される。したがって受信アドレス記録部に記録される受信メールアドレスは、アドレス帳記録部に記録されていないメールアドレスであって、友人および知人のメールアドレスではない可能性が高い。友人および知人からではないメールは、操作者にとって不要なメールであることが多い。
【００３１】
また未記録メールアドレスに対応する送信元からのメールは、操作者がそのメールを読まなければ、操作者にとって不要なメールであるか否か判断することができない。
【００３２】
本発明は、これらのことを考慮しており、したがって受信したメールのうち操作者にとって必要なメールが受信メール処理部によって誤って削除されることがなく、操作者にとって不要なメールが受信メール記録部から削除されるとともに、そのメールの送信元メールアドレスが削除メール記録部へ追加される。
【００３３】
また本発明は、予め定める文字列が設定され、前記受信メール記録部に記録されるメールの題名に前記予め定める文字列が存在するか否かを判定する題名判定部をさらに含み、
前記受信メール処理部は、題名判定部によって、前記受信メール記録部に記録されるメールの題名に前記予め定める文字列が存在すると判定されたとき、前記予め定める文字列が存在すると判定されたメールを、送信元メールアドレスとともに前記受信メール記録部から削除するとともに、送信元メールアドレスを前記削除メール記録部へ追加することを特徴とする。
【００３４】
本発明に従えば、受信メール記録部に記録されるメールの題名に予め定める文字列が存在するとき、受信メール処理部が、前記予め定める文字列が存在するメールを受信メール記録部から削除するとともに、前記削除したメールの送信元メールアドレスを削除メール記録部へ追加する。したがって操作者の負担を増加させることなく、前記削除したメールの送信元メールアドレスを削除メール記録部へ追加することができる。
【００３５】
本発明では、予め定める文字列として、操作者にとって不要なメールの題名に含まれる可能性が高い文字列を設定することによって、その文字列を題名に含むメール、すなわち操作者にとって不要なメールを受信メール記録部から削除することができる。
【００３６】
また本発明は、予め定める文字列が設定され、前記受信メール記録部に記録されるメールの本文に前記予め定める文字列が存在するか否かを判定する本文判定部をさらに含み、
前記受信メール処理部は、本文判定部によって、前記受信メール記録部に記録されるメールの本文に前記予め定める文字列が存在すると判定されたとき、前記予め定める文字列が存在すると判定されたメールを、送信元メールアドレスとともに前記受信メール記録部から削除するとともに、送信元メールアドレスを前記削除メール記録部へ追加することを特徴とする。
【００３７】
本発明に従えば、受信メール記録部に記録されるメールの本文に予め定める文字列が存在するとき、受信メール処理部が、前記予め定める文字列が存在するメールを受信メール記録部から削除するとともに、前記削除したメールの送信元メールアドレスを削除メール記録部へ追加する。したがって操作者の負担を増加させることなく、前記削除したメールの送信元メールアドレスを削除メール記録部へ追加することができる。
【００３８】
本発明では、予め定める文字列として、操作者にとって不要なメールの本文に含まれる可能性が高い文字列を設定することによって、その文字列を本文に含むメール、すなわち操作者にとって不要なメールを受信メール記録部から削除することができる。
【００３９】
また本発明は、複数の携帯端末装置間で相互にメールアドレスを指定してメールを送信しかつ受信する携帯端末装置の受信メールの処理方法において、
受信した複数のメールのうち、予め定める条件に基づいて削除されたメールの送信元メールアドレスを記録しておき、
受信したメールを、その送信元メールアドレスとともに記録し、
前記記録したメールの送信元メールアドレスが、前記予め定める条件に基づいて削除されたメールの送信元メールアドレス中に存在するか否かを判定し、
前記記録したメールの送信元メールアドレスが、前記予め定める条件に基づいて削除されたメールの送信元メールアドレス中に存在すると判定したとき、前記存在すると判定した送信元メールアドレスのメールを、その送信元メールアドレスとともに削除することを特徴とする受信メールの処理方法である。
【００４０】
本発明に従えば、受信したメールを、その送信元メールアドレスとともに記録する。この記録したメールは、その送信元メールアドレスが、前記予め定める条件に基づいて削除されたメールの送信元メールアドレス中に存在すれば、削除される。
【００４１】
したがって受信したメールのうち、予め定める条件に基づいて一度削除されたメールと同じ送信元メールアドレスとともに受信されたメールは、削除される。これによって受信したメールを操作者にとって必要なメールおよび不要なメールのいずれかに選別すること、および受信したメールのうち操作者にとって不要なメールを削除することに要する操作者の負担を軽減することができる。
【００４２】
また本発明は、前記記録したメールが開封されることなく送信元メールアドレスとともに削除されたとき、削除されたメールの送信元メールアドレスを、前記予め定める条件に基づいて削除されたメールの送信元メールアドレスとして記録することを特徴とする。
【００４３】
本発明に従えば、記録したメールが開封されることなく削除されたとき、削除されたメールの送信元メールアドレスが、前記予め定める条件に基づいて削除されたメールの送信元メールアドレスとして記録される。
【００４４】
操作者は、受信したメールが不要なメールであれば、そのメールを開封しないで削除するという傾向がある。本発明は、このような傾向を考慮しており、したがって受信したメールのうち操作者にとって不要なメールの送信元メールアドレスを、前記予め定める条件に基づいて削除されたメールの送信元メールアドレスとして記録することができる。これによって前記不要なメールの送信元メールアドレスと同じ送信元メールアドレスとともに再度受信したメールを、削除することができる。
【００４５】
また本発明は、予め定める時間を設定しておき、
前記記録したメールが開封されてから送信元メールアドレスとともに削除されるまでの時間を計測し、
前記記録したメールが開封されてから送信元メールアドレスとともに削除されるまでの時間が前記予め定める時間内であるとき、削除されたメールの送信元メールアドレスを、前記予め定める条件に基づいて削除されたメールの送信元メールアドレスとして記録することを特徴とする。
【００４６】
本発明に従えば、記録したメールが開封されてから削除されるまでの時間が予め定める時間内であるとき、削除されたメールの送信元メールアドレスが、前記予め定める条件に基づいて削除されたメールの送信元メールアドレスとして記録される。
【００４７】
操作者は、受信したメールを開封したとき、その開封したメールが不要なメールであれば、開封してから比較的短い時間でその開封したメールを削除するという傾向がある。本発明は、このような傾向を考慮しており、したがって受信したメールのうち操作者にとって不要なメールの送信元メールアドレスを、前記予め定める条件に基づいて削除されたメールの送信元メールアドレスとして記録することができる。これによって前記不要なメールの送信元メールアドレスと同じ送信元メールアドレスとともに再度受信したメールを、削除することができる。
【００４８】
また本発明は、登録メールアドレスを記録しておき、
前記記録したメールの送信元メールアドレスが、前記登録メールアドレス中に存在するか否かを判定し、
前記記録したメールの送信元メールアドレスが、前記登録メールアドレス中に存在しないと判定したとき、前記存在しないと判定した送信元メールアドレスのメールを、その送信元メールアドレスとともに削除するとともに、その送信元メールアドレスを、前記予め定める条件に基づいて削除されたメールの送信元メールアドレスとして記録することを特徴とする。
【００４９】
本発明に従えば、記録したメールの送信元メールアドレスが、登録メールアドレス中に存在しないとき、前記存在しない送信元メールアドレスのメールが削除されるとともに、その送信元メールアドレスが前記予め定める条件に基づいて削除されたメールの送信元メールアドレスとして記録される。
【００５０】
操作者は、友人および知人のメールアドレスを登録メールアドレスとして記録しておくという傾向がある。したがって登録メールアドレスとして記録されていないメールアドレスは、友人および知人のメールアドレスではない可能性が高い。友人および知人からではないメールは、操作者にとって不要なメールであることが多い。
【００５１】
本発明は、これらのことを考慮しており、したがって受信したメールのうち操作者にとって不要なメールを削除するとともに、そのメールの送信元メールアドレスを前記予め定める条件に基づいて削除されたメールの送信元メールアドレスとして記録することができる。これによって操作者にとって不要なメールを確実に削除することができる。
【００５２】
また本発明は、登録メールアドレスを記録しておき、さらに前記予め定める条件に基づいて削除されたメールの送信元メールアドレスおよび前記登録メールアドレスのいずれでもない未記録メールアドレスに対応する送信先にメールを送信したとき、その送信先のメールアドレスを送信メールアドレスとして記録しておき、
前記記録したメールの送信元メールアドレスが、前記登録メールアドレス中に存在するか否かを判定し、
前記記録したメールの送信元メールアドレスが、前記送信メールアドレス中に存在するか否かを判定し、
前記記録したメールの送信元メールアドレスが、前記登録メールアドレス中に存在しないと判定し、かつ前記記録したメールの送信元メールアドレスが、前記送信メールアドレス中に存在しないと判定したとき、前記存在しないと判定した送信元メールアドレスのメールを、その送信元メールアドレスとともに削除するとともに、その送信元メールアドレスを、前記予め定める条件に基づいて削除されたメールの送信元メールアドレスとして記録することを特徴とする。
【００５３】
本発明に従えば、記録したメールの送信元メールアドレスが、登録メールアドレス中に存在せず、かつ記録したメールの送信元メールアドレスが、送信メールアドレス中に存在しないとき、前記存在しない送信元メールアドレスのメールが削除されるとともに、その送信元メールアドレスが前記予め定める条件に基づいて削除されたメールの送信元メールアドレスとして記録される。
【００５４】
操作者は、友人および知人のメールアドレスを登録メールアドレスとして記録しておくという傾向がある。登録メールアドレスとして記録されていないメールアドレスであっても、過去に送信したことがある送信先のメールアドレスは、友人および知人のメールアドレスである可能性が高い。
【００５５】
登録メールアドレスとして記録されていなく、かつ送信メールアドレスとしても記録されていないメールアドレスは、友人および知人のメールアドレスではない可能性がより高い。友人および知人からではないメールは、操作者にとって不要なメールであることが多い。
【００５６】
本発明は、これらのことを考慮しており、したがって受信したメールのうち操作者にとってより確実に不要なメールを削除するとともに、そのメールの送信元メールアドレスを前記予め定める条件に基づいて削除されたメールの送信元メールアドレスとして記録することができる。
【００５７】
また本発明は、登録メールアドレスを記録しておき、さらに前記予め定める条件に基づいて削除されたメールの送信元メールアドレスおよび前記登録メールアドレスのいずれでもない未記録メールアドレスに対応する送信元からメールを受信したとき、その送信元のメールアドレスを受信メールアドレスとして記録しておき、
前記記録したメールの送信元メールアドレスが、前記受信メールアドレス中に存在するか否かを判定し、
前記記録したメールの送信元メールアドレスが、前記受信メールアドレス中に存在すると判定したとき、前記存在すると判定した送信元メールアドレスのメールを、その送信元メールアドレスとともに削除するとともに、その送信元メールアドレスを、前記予め定める条件に基づいて削除されたメールの送信元メールアドレスとして記録することを特徴とする。
【００５８】
本発明に従えば、記録したメールの送信元メールアドレスが、受信メールアドレス中に存在するとき、前記存在する送信元メールアドレスのメールが削除されるとともに、その送信元メールアドレスが前記予め定める条件に基づいて削除されたメールの送信元メールアドレスとして記録される。
【００５９】
操作者は、友人および知人のメールアドレスを登録メールアドレスとして記録しておくという傾向がある。受信メールアドレスは、登録メールアドレスとして記録されていないメールアドレスであって、友人および知人のメールアドレスではない可能性が高い。友人および知人からではないメールは、操作者にとって不要なメールであることが多い。
【００６０】
また未記録メールアドレスに対応する送信元からのメールは、操作者がそのメールを読まなければ、操作者にとって不要なメールであるか否か判断することができない。
【００６１】
本発明は、これらのことを考慮しており、したがって受信したメールのうち操作者にとって必要なメールを誤って削除することがなく、操作者にとって不要なメールを削除するとともに、そのメールの送信元メールアドレスを前記予め定める条件に基づいて削除されたメールの送信元メールアドレスとして記録することができる。
【００６２】
また本発明は、予め定める文字列を設定しておき、
前記記録したメールの題名に前記予め定める文字列が存在するか否かを判定し、
前記記録したメールの題名に前記予め定める文字列が存在すると判定したとき、前記予め定める文字列が存在すると判定したメールを、その送信元メールアドレスとともに削除するとともに、その送信元メールアドレスを、前記予め定める条件に基づいて削除されたメールの送信元メールアドレスとして記録することを特徴とする。
【００６３】
本発明に従えば、記録したメールの題名に予め定める文字列が存在するとき、前記予め定める文字列が存在するメールが削除されるとともに、前記削除されたメールの送信元メールアドレスが前記予め定める条件に基づいて削除されたメールの送信元メールアドレスとして記録される。
【００６４】
本発明では、予め定める文字列として、不要なメールの題名に含まれる可能性が高い文字列を設定することによって、その文字列を題名に含むメール、すなわち不要なメールを削除することができる。
【００６５】
また本発明は、予め定める文字列を設定しておき、
前記記録したメールの本文に前記予め定める文字列が存在するか否かを判定し、
前記記録したメールの本文に前記予め定める文字列が存在すると判定したとき、前記予め定める文字列が存在すると判定したメールを、その送信元メールアドレスとともに削除するとともに、その送信元メールアドレスを、前記予め定める条件に基づいて削除されたメールの送信元メールアドレスとして記録することを特徴とする。
【００６６】
本発明に従えば、記録したメールの本文に予め定める文字列が存在するとき、前記予め定める文字列が存在するメールが削除されるとともに、前記削除されたメールの送信元メールアドレスが前記予め定める条件に基づいて削除されたメールの送信元メールアドレスとして記録される。
【００６７】
本発明では、予め定める文字列として、不要なメールの本文に含まれる可能性が高い文字列を設定することによって、その文字列を本文に含むメール、すなわち不要なメールを受信メール記録部から削除することができる。
【００６８】
また本発明は、携帯端末装置に備えられるコンピュータを、
受信した複数のメールが、各メールの送信元メールアドレスとともに記録される受信メール記録部、
前記受信した複数のメールのうち、予め定める条件に基づいて受信メール記録部から送信元メールアドレスとともに削除されたメールの送信元メールアドレスが記録される削除メール記録部、
受信メール記録部に記録される送信元メールアドレスが、削除メール記録部に記録される送信元メールアドレス中に存在するか否かを判定する削除メール判定部、
削除メール判定部によって、受信メール記録部に記録される送信元メールアドレスが、削除メール記録部に記録される送信元メールアドレス中に存在すると判定されたとき、前記存在すると判定された送信元メールアドレスのメールを、送信元メールアドレスとともに受信メール記録部から削除する受信メール処理部として機能させることを特徴とする受信メール処理プログラムである。
【００６９】
本発明に従えば、携帯端末装置に備えられるコンピュータによって受信メール処理プログラムが実行され、メールを受信すると、その受信したメールがその送信元メールアドレスとともに受信メール記録部に記録され、削除メール判定部によって受信メール記録部に記録される送信元メールアドレスが、削除メール記録部に記録される送信元メールアドレス中に存在するか否かが判定され、この判定結果に応じて、受信メール記録部に記録されたメールおよびその送信元メールアドレスを受信メール処理部によって削除することができる。
【００７０】
このようにして受信メール記録部に記録されたメールおよびその送信元メールアドレスが削除されるので、予め定める条件に基づいて一度削除されたメールと同じ送信元メールアドレスとともに受信されたメールを、その送信元メールアドレスとともに受信メール記録部から削除する受信メール処理を携帯端末装置に備えられるコンピュータ上に実現することができる。
【００７１】
【発明の実施の形態】
図１は、本発明の実施の一形態の携帯電話機１０の構成を簡略化して示すブロック図である。本実施の形態の携帯電話機１０は、複数の携帯電話機間で相互にメールアドレスを指定してメールを送信しかつ受信する携帯電話機である。
【００７２】
携帯電話機１０は、制御装置１１と、電話網を介して後述のサービスセンタ４４と通信を行うための無線装置１２と、情報を記録する記録装置１３とを含んで構成される。
【００７３】
記録装置１３は、受信メール記録部２１と、削除メール記録部２２と、アドレス帳記録部２３と、送信アドレス記録部２４と、受信アドレス記録部２５とを含む。この記録装置１３は、たとえばフラッシュメモリなどのメモリによって実現される。
【００７４】
受信メール記録部２１には、受信した複数のメールが、各メールの送信元メールアドレスとともに記録される。削除メール記録部２２には、受信した複数のメールのうち、予め定める条件に基づいて受信メール記録部２１から送信元メールアドレスとともに削除されたメールの送信元メールアドレスが記録される。アドレス帳記録部２３には、登録メールアドレスが記録される。この登録メールアドレスは、予め操作者によってアドレス帳記録部２３に記録される。
【００７５】
以下、削除メール記録部２２およびアドレス帳記録部２３のいずれにも記録されていないメールアドレスを、「未記録メールアドレス」という場合がある。
【００７６】
送信アドレス記録部２４には、未記録メールアドレスに対応する送信先にメールを送信したとき、その送信先のメールアドレスである送信メールアドレスが記録される。受信アドレス記録部２４には、未記録メールアドレスに対応する送信元からメールを受信したとき、その送信元のメールアドレスである受信メールアドレスが記録される。
【００７７】
本実施の形態において、「送信先」は送信時に自己を基準にして相手方を指していい、「送信元」は受信時に自己を基準にして相手方を指していう。
【００７８】
制御装置１１は、受信メールアドレス判別部３１と、削除メール判定部３２と、アドレス帳判定部３３と、送受信アドレス判定部３４と、題名判定部３５と、本文判定部３６と、受信メール処理部３７とを含む。
【００７９】
受信メールアドレス判別部３１は、受信メール記録部２１に記録されたメールおよびそのメールの送信元メールアドレスを解析し、送信元メールアドレスを判別して抽出する。
【００８０】
削除メール判定部３２は、受信メール記録部２１に記録される送信元メールアドレスが、削除メール記録部２２に記録される送信元メールアドレス中に存在するか否かを判定する。この削除メール判定部３２は、受信メール記録部２１に記録される送信元メールアドレスを、削除メール記録部２２から検索する削除メール検索部３２ａを有する。削除メール判定部３２は、この削除メール検索部３２ａの検索結果に基づいて、前記受信メール記録部２１に記録される送信元メールアドレスが、削除メール記録部２２に記録される送信元メールアドレス中に存在するか否かを判定する。
【００８１】
アドレス帳判定部３３は、受信メール記録部２１に記録される送信元メールアドレスが、アドレス帳記録部２３に記録される登録メールアドレス中に存在するか否かを判定する。このアドレス帳判定部３３は、受信メール記録部２１に記録される送信元メールアドレスを、アドレス帳記録部２３から検索するアドレス帳検索部３３ａを有する。アドレス帳判定部３３は、このアドレス帳検索部３３ａの検索結果に基づいて、前記受信メール記録部２１に記録される送信元メールアドレスが、アドレス帳記録部２３に記録される登録メールアドレス中に存在するか否かを判定する。
【００８２】
送受信アドレス判定部３４は、送信アドレス判定部３８および受信アドレス判定部３９として機能する。送信アドレス判定部３８は、受信メール記録部２１に記録される送信元メールアドレスが、送信アドレス記録部２４に記録される送信メールアドレス中に存在するか否かを判定する。受信アドレス判定部３９は、受信メール記録部２１に記録される送信元メールアドレスが、受信アドレス記録部２５に記録される受信メールアドレス中に存在するか否かを判定する。
【００８３】
前記送信アドレス判定部３８は、受信メール記録部２１に記録される送信元メールアドレスを、送信アドレス記録部２４から検索する送信アドレス検索部３８ａを有する。送信アドレス判定部３８は、この送信アドレス検索部３８ａの検索結果に基づいて、前記受信メール記録部２１に記録される送信元メールアドレスが、送信アドレス記録部２４に記録される送信メールアドレス中に存在するか否かを判定する。前記受信アドレス判定部３９は、受信メール記録部２１に記録される送信元メールアドレスを、受信アドレス記録部２５から検索する受信アドレス検索部３９ａを有する。受信アドレス判定部３９は、この受信アドレス検索部３９ａの検索結果に基づいて、前記受信メール記録部２１に記録される送信元メールアドレスが、受信アドレス記録部２５に記録される受信メールアドレス中に存在するか否かを判定する。
【００８４】
題名判定部３５は、予め定める文字列が設定され、受信メール記録部２１に記録されるメールの題名に前記予め定める文字列が存在するか否かを判定する。本文判定部３６は、予め定める文字列が設定され、受信メール記録部２１に記録されるメールの本文に前記予め定める文字列が存在するか否かを判定する。
【００８５】
本実施の形態において、メールは題名および本文を含んで構成される。また本実施の形態において、文字は、漢字、ひらがな、カタカナ、数字、欧米文字、記号および絵記号を含む。
【００８６】
受信メール処理部３７は、削除メール判定部３２によって、受信メール記録部２１に記録される送信元メールアドレスが、削除メール記録部２２に記録される送信元メールアドレス中に存在すると判定されたとき、前記削除メール記録部２２に記録される送信元メールアドレス中に存在すると判定された送信元メールアドレスのメールを、送信元メールアドレスとともに受信メール記録部２１から削除する。
【００８７】
また受信メール処理部３７は、受信メール記録部２１に記録されるメールが開封されることなく送信元メールアドレスとともに削除されたとき、前記開封されることなく削除されたメールの送信元メールアドレスを削除メール記録部２２へ追加する。
【００８８】
また受信メール処理部３７はタイマを備える。受信メール処理部３７は、予め定める時間である設定時間が設定され、受信メール記録部２１に記録されるメールが開封されてから送信元メールアドレスとともに削除されるまでの時間をタイマによって計測し、受信メール記録部２１に記録されるメールが開封されてから前記設定時間内に送信元メールアドレスとともに削除されたとき、前記設定時間内に削除されたメールの送信元メールアドレスを削除メール記録部２２へ追加する。前記設定時間は、たとえば１分に選ばれる。
【００８９】
さらに受信メール処理部３７は、アドレス帳判定部３３、送受信アドレス判定部３４、題名判定部３５および本文判定部３６の各判定結果に基づいて、受信メール記録部２１に記録されたメールおよびそのメールの送信元メールアドレスを後述のように処理する。
【００９０】
携帯電話機１０は、前述の各装置１１，１２，１３に加えて、表示部４７、キー操作部４８、スピーカおよびマイクなどを備える。これらの構成については、従来の携帯電話機と同様であるので説明を省略する。前記制御装置１１には、操作者によって操作されるキー操作部４８の出力が与えられる。制御装置１１は、表示部４７を制御して、表示部４７に画面を表示させる。
【００９１】
図２は、携帯電話機１０を含む通信ネットワーク４１の構成を簡略化して示す図である。通信ネットワーク４１は、インターネット網４２と、通信端末装置４３と、各携帯電話会社のサービスセンタ４４と、携帯電話機１０とを含む。
【００９２】
通信端末装置４３は、たとえばパーソナルコンピュータ（Ｐｅｒｓｏｎａｌ　Ｃｏｍｐｕｔｅｒ、略称ＰＣ）によって実現される。この通信端末装置４３は、インターネット網４２に接続される。サービスセンタ４４は、インターネット網４２に接続される。携帯電話機１０は、無線回線を介してサービスセンタ４４に接続される。インターネット網４２経由のメール、たとえば前記通信端末装置４３からのメールは、このサービスセンタ４４を介して携帯電話機１０に送信される。
【００９３】
本実施の形態では、サービスセンタ４４は、携帯電話機１０当てのメールを受信すると、携帯電話機１０へメールの着信を通知するともに、そのメールを送信する。
【００９４】
図３は、図１に示される携帯電話機１０の受信メールの処理を説明するためのフローチャートであり、図４は携帯電話機１０の図３に続く受信メールの処理を説明するためのフローチャートである。
【００９５】
サービスセンタ４４から携帯電話機１０へメールの着信が通知されると、ステップｓ１において、携帯電話機１０の受信メールの処理が開始され、ステップｓ２に移る。ステップｓ２において、制御装置１１は、無線装置１２を制御して、サービスセンタ４４からメールを受信し、この受信したメールを、その送信元メールアドレスとともに受信メール記録部２１に記録する。以下、このように受信して受信メール記録部２１に記録したメールを、「受信メール」という場合がある。
【００９６】
受信したメールが受信メール記録部２１に記録された後、受信メールアドレス判別部３１は、受信メールおよびその受信メールの送信元メールアドレスを解析し、送信元メールアドレスを判別して抽出する。こうして受信メールアドレス判別部３１によって受信メールの送信元メールアドレスが抽出された後、ステップｓ３において、削除メール判定部３２は、この抽出された送信元メールアドレスが削除メール記録部２２に記録される送信元メールアドレス中に存在するか否かを判定する。
【００９７】
削除メール判定部３２によって、前記抽出された送信元メールアドレスが削除メール記録部２２に記録される送信元メールアドレス中に存在すると判定されたとき、ステップｓ３ａに進む。ステップｓ３ａにおいて、受信メール処理部３７は、前記削除メール記録部２２に記録される送信元メールアドレス中に存在すると判定された送信元メールアドレスの受信メールを、その送信元メールアドレスとともに受信メール記録部２１から削除する。さらに受信メール処理部３７は、たとえば表示部４７を制御して、受信メールを受信メール記録部２１から削除したことを操作者に通知するための画面を表示部４７に表示させる。こうしてステップｓ３ａからステップｓ３ｂに進み、ステップｓ３ｂにおいて、携帯電話機１０の受信メールの処理が終了される。
【００９８】
このように受信メールは、その送信元メールアドレスが、削除メール記録部２２に記録される送信元メールアドレス中に存在すれば、受信メール処理部３７によって送信元メールアドレスとともに受信メール記録部２１から削除される。削除メール記録部２２には、前述のように、受信した複数のメールのうち、予め定める条件に基づいて受信メール記録部２１から削除されたメールの送信元メールアドレスが記録されている。
【００９９】
したがって受信したメールのうち、予め定める条件に基づいて一度削除されたメールと同じ送信元メールアドレスとともに受信されたメールは、受信メール処理部３７によって送信元メールアドレスとともに受信メール記録部２１から削除される。これによって受信したメールを操作者にとって必要なメールおよび不要なメールのいずれかに選別すること、および受信したメールのうち操作者にとって不要なメールを削除することに要する操作者の負担を軽減することができる。
【０１００】
削除メール判定部３２によって、前記抽出された送信元メールアドレスが削除メール記録部２２に記録される送信元メールアドレス中に存在しないと判定されたとき、ステップｓ４に進む。ステップｓ４において、アドレス帳判定部３３は、前記抽出された送信元メールアドレスがアドレス帳記録部２３に記録される登録メールアドレス中に存在するか否かを判定する。
【０１０１】
アドレス帳判定部３３によって、前記抽出された送信元メールアドレスがアドレス帳記録部２３に記録される登録メールアドレス中に存在すると判定されたとき、ステップｓ４ａに進む。ステップｓ４ａにおいて、受信メール処理部３７は、たとえば表示部４７を制御して、メールの着信を操作者に通知するための画面を表示部４７に表示させる。
【０１０２】
このように本実施の形態では、前記抽出された送信元メールアドレスがアドレス帳記録部２３に記録される登録メールアドレス中に存在すると判定されたとき、受信メール処理部３７は、その登録メールアドレス中に存在すると判定された送信元メールアドレスの受信メールを削除しない。
【０１０３】
アドレス帳判定部３３によって、前記抽出された送信元メールアドレスが、アドレス帳記録部２３に記録される登録メールアドレス中に存在しないと判定されたとき、ステップｓ５に進む。ステップｓ５において、送信アドレス判定部３８は、前記抽出された送信元メールアドレスが送信アドレス記録部２４に記録される送信メールアドレス中に存在するか否かを判定する。
【０１０４】
送信アドレス判定部３８によって、前記抽出された送信元メールアドレスが送信アドレス記録部２４に記録される送信メールアドレス中に存在すると判定されたとき、前述のステップｓ４ａに進む。
【０１０５】
このように本実施の形態では、前記抽出された送信元メールアドレスがアドレス帳記録部２３に記録される登録メールアドレス中に存在しないと判定されても、送信アドレス記録部２４に記録される送信メールアドレス中に存在すると判定されたときには、受信メール処理部３７は、その送信メールアドレス中に存在すると判定された送信元メールアドレスの受信メールを削除しない。
【０１０６】
送信アドレス判定部３８によって、前記抽出された送信元メールアドレスが、送信アドレス記録部２４に記録される送信メールアドレス中に存在しないと判定されたとき、ステップｓ６に進む。ステップｓ６において、受信アドレス判定部３９は、前記抽出された送信元メールアドレスが受信アドレス記録部２５に記録される受信メールアドレス中に存在するか否かを判定する。
【０１０７】
受信アドレス判定部３９によって、前記抽出された送信元メールアドレスが受信アドレス記録部２５に記録される受信メールアドレス中に存在しないと判定されたとき、前述のステップｓ４ａに進む。
【０１０８】
メールアドレスの変更を通知するためのメールを受信したとき、携帯電話機１０は、そのメールの送信元メールアドレスを、アドレス帳記録部２３に記録していないことが多い。また会社の部下など、不特定多数の知人に緊急連絡用としてメールが送信されるとき、このメールを受信する携帯電話機１０は、アドレス帳記録部２３にそのメールのメールアドレスを記録していないことが多い。したがってアドレス帳記録部２３に記録されていないメールアドレスのメールであっても、最初のメールは、操作者が確認する必要がある。
【０１０９】
したがって本実施の形態では、前記抽出された送信元メールアドレスが、アドレス帳記録部２３に記録される登録メールアドレス中に存在しないと判定され、かつ送信アドレス記録部２４に記録される送信メールアドレス中にも存在しないと判定されても、受信アドレス記録部２５に記録される受信メールアドレス中に存在しないと判定されたときには、受信メール処理部３７は、その受信メールアドレス中に存在しないと判定された送信元メールアドレスの受信メールを削除しない。
【０１１０】
受信アドレス判定部３９によって、前記抽出された送信元メールアドレスが受信アドレス記録部２５に記録される受信メールアドレス中に存在すると判定されたとき、ステップｓ７に進む。ステップｓ７において、題名判定部３５は、受信メールの題名に予め定める文字列が存在するか否かを判定する。
【０１１１】
題名判定部３５によって、受信メールの題名に予め定める文字列が存在すると判定されたとき、ステップｓ７ａに進む。ステップｓ７ａにおいて、受信メール処理部３７は、受信メールを、その送信元メールアドレスとともに受信メール記録部２１から削除する。さらに受信メール処理部３７は、たとえば表示部４７を制御して、受信メールを受信メール記録部２１から削除したことを操作者に通知するための画面を表示部４７に表示させる。
【０１１２】
受信メールを受信メール記録部２１から削除した後、ステップｓ７ｂにおいて、受信メール処理部３７は、受信メール記録部２１から削除した受信メールの送信元メールアドレスを、削除メール記録部２２へ追加する。こうしてステップｓ７ｂからステップｓ１４に進み、ステップｓ１４において、携帯電話機１０の受信メールの処理が終了される。
【０１１３】
このように受信メールの題名に予め定める文字列が存在するとき、受信メール処理部３７が、前記予め定める文字列が存在する受信メールを受信メール記録部２１から削除するとともに、前記削除したメールの送信元メールアドレスを削除メール記録部２２へ追加する。したがって操作者の負担を増加させることなく、前記削除したメール、すなわち題名に予め定める文字列が存在する受信メールの送信元メールアドレスを削除メール記録部２２へ追加することができる。前記削除したメール、すなわち題名に予め定める文字列が存在する受信メールは、前記予め定める条件に基づいて削除されたメールである。
【０１１４】
本実施の形態では、予め定める文字列として、不要なメールの題名に含まれる可能性が高い文字列を設定することによって、その文字列を題名に含むメール、すなわち不要なメールを受信メール記録部２１から削除することができる。具体的には、前記予め定める文字列として、たとえば「広告」などの文字列が設定される。
【０１１５】
題名判定部３５によって、受信メールの題名に予め定める文字列が存在すると判定されたとき、ステップｓ８に進む。ステップｓ８において、本文判定部３６は、受信メールの本文に予め定める文字列が存在するか否かを判定する。
【０１１６】
本文判定部３６によって、受信メールの本文に予め定める文字列が存在すると判定されたとき、前述のステップｓ７ａに進む。
【０１１７】
このように受信メールの本文に予め定める文字列が存在するとき、受信メール処理部３７が、前記予め定める文字列が存在する受信メールを受信メール記録部２１から削除するとともに、前記削除したメール、すなわち本文に予め定める文字列が存在する受信メールの送信元メールアドレスを削除メール記録部２２へ追加する。したがって操作者の負担を増加させることなく、前記削除したメール、すなわち本文に予め定める文字列が存在する受信メールの送信元メールアドレスを削除メール記録部２２へ追加することができる。前記削除したメール、すなわち本文に予め定める文字列が存在する受信メールは、前記予め定める条件に基づいて削除されたメールである。
【０１１８】
本実施の形態では、予め定める文字列として、不要なメールの本文に含まれる可能性が高い文字列を設定することによって、その文字列を本文に含むメール、すなわち不要なメールを受信メール記録部２１から削除することができる。前記予め定める文字列として、たとえばホームページへのリンクのための文字列、具体的には「ｈｔｔｐ：」および「．ｈｔｍｌ」などの文字列が設定される。さらに前記予め定める文字列として、電話番号として認識される文字列が設定されてもよい。
【０１１９】
本文判定部３６によって、受信メールの本文に予め定める文字列が存在しないと判定されたとき、ステップｓ９に進む。ステップｓ９において、受信メール処理部３７は、受信メールを、その受信メールの送信元メールアドレスとともにメールボックスに保存する。さらに受信メール処理部３７は、たとえば表示部４７を制御して、メールの着信を操作者に通知するための画面を表示部４７に表示させる。
【０１２０】
携帯電話機１０にダイレクトメールを送信する場合、文字数の制限などがあるので、そのダイレクトメールには概略と宣伝元のホームページアドレスとが記載されていることが多い。また前記ホームページアドレスの代わりに、宣伝元の電話番号が記載されていることが多い。本実施の形態では、これらを考慮して、題名判定部３５および本文判定部３６による前述のような判定によって、削除の対象となる受信メールを特定することを可能としている。
【０１２１】
ステップｓ４ａでメールの着信が操作者に通知された後、操作者がキー操作部４８を操作することによって、受信メールが開封されると、ステップｓ４ｂに移る。ステップｓ４ｂにおいて、受信メール処理部３７は、前記抽出した送信元メールアドレスと同じ受信メールアドレスを受信アドレス記録部２５から削除し、タイマによる計時動作を開始し、ステップｓ４ｃに進む。ステップｓ４ｃにおいて、受信メール処理部３７は、タイマによる計時動作を終了し、タイマをリセットする。こうしてステップｓ４ｃからステップｓ１４に進み、ステップｓ１４において、携帯電話機１０の受信メールの処理が終了される。
【０１２２】
本実施の形態において、「開封」とは、受信メールの本文を、たとえば表示部４７に表示するなどして、操作者が受信メールの本文を読むことを可能にすることを意味する。
【０１２３】
ステップｓ９でメールの着信が操作者に通知された後、操作者がキー操作部４８を操作することによって、受信メールが開封されると、ステップｓ１０に移る。ステップｓ１０において、受信メール処理部３７は、タイマによる計時動作を開始する。次に、ステップｓ１１において、受信メール処理部３７は、操作者によるキー操作部４８の操作によって受信メールが削除されたか否かを判定する。
【０１２４】
受信メールが削除されたとき、受信メール処理部３７は、タイマによる計時動作を終了して、タイマをリセットし、前述のステップｓ７ｂに進む。受信メールが削除されないとき、ステップｓ１２に進む。ステップｓ１２において、受信メール処理部３７は、設定時間が経過したか否かを判定する。設定時間が経過していないとき、ステップｓ１１に戻る。設定時間が経過しているとき、ステップｓ１３に進む。
【０１２５】
ステップｓ１３において、受信メール処理部３７は、タイマによる計時動作を終了し、タイマをリセットする。こうしてステップｓ１３からステップｓ１４に進み、ステップｓ１４において、携帯電話機１０の受信メールの処理が終了される。
【０１２６】
このように本実施の形態では、受信メール記録部２１に記録されるメールが開封されてから設定時間内で削除されたとき、受信メール処理部３７が、前記設定時間内で削除された受信メールの送信元メールアドレスを削除メール記録部２２へ追加する。したがって操作者の負担を増加させることなく、前記削除されたメールの送信元メールアドレスを削除メール記録部２２へ追加することができる。前記設定時間内で削除されたメールは、前記予め定める条件に基づいて削除されたメールである。
【０１２７】
操作者は、受信したメールを開封したとき、その開封したメールが不要なメールであれば、開封してから比較的短い時間でその開封したメールを削除するという傾向がある。本実施の形態は、このような傾向を考慮しており、したがって削除メール記録部２２には、受信したメールのうち操作者にとって不要なメールの送信元メールアドレスが追加される。
【０１２８】
図３および図４に図示されていないが、本実施の形態では、ステップｓ９でメールの着信が操作者に通知された後、受信メールが開封されることなく送信元メールアドレスとともに受信メール記録部２１から削除されたとき、受信メール処理部３７は、前記開封されることなく削除された受信メールの送信元メールアドレスを削除メール記録部２２へ追加する。したがって操作者の負担を増加させることなく、前記削除されたメールの送信元メールアドレスを削除メール記録部２２へ追加することができる。前記開封されることなく削除されたメールは、前記予め定める条件に基づいて削除されたメールである。
【０１２９】
操作者は、受信したメールが不要なメールであれば、そのメールを開封しないで削除するという傾向がある。本実施の形態は、このような傾向を考慮しており、したがって削除メール記録部２２には、受信したメールのうち操作者にとって不要なメールの送信元メールアドレスが追加される。
【０１３０】
携帯電話機は入力手段が限られており、したがってこの携帯電話機に対する入力は、携帯電話機以外の通信端末装置、たとえばパーソナルコンピュータに対する入力に比べて、操作者にとって負担となる。本実施の形態の携帯電話機１０は、受信メールを必要なメールおよび不要なメールのいずれかに選別して、不要なメールを受信メール記録部２１から削除するので、操作者の負担を軽減することができる。さらに本実施の形態の携帯電話機１０は、予め定める条件に基づいて削除された受信メールの送信元メールアドレスを削除メール記録部２２へ追加するので、これによっても操作者の負担を軽減することができる。
【０１３１】
本発明の実施の他の形態では、前述の図３のステップｓ４において、アドレス帳判定部３３によって、前記抽出された送信元メールアドレスがアドレス帳記録部２３に記録される登録メールアドレス中に存在しないと判定されたとき、受信メール処理部３７は、前記アドレス帳記録部２３に記録される登録メールアドレス中に存在しないと判定された送信元メールアドレスのメールを、その登録メールアドレス中に存在しないと判定された送信元メールアドレスとともに受信メール記録部２１から削除するとともに、その登録メールアドレス中に存在しないと判定された送信元メールアドレスを削除メール記録部２２へ追加する。前記削除したメール、すなわち前記登録メールアドレス中に存在しないと判定された送信元メールアドレスの受信メールは、前記予め定める条件に基づいて削除されたメールである。
【０１３２】
操作者は、友人および知人のメールアドレスをアドレス帳記録部２３に記録しておくという傾向がある。したがってこのアドレス帳記録部２３に記録されていないメールアドレスは、友人および知人のメールアドレスではない可能性が高い。友人および知人からではないメールは、操作者にとって不要なメールであることが多い。
【０１３３】
本実施の形態は、これらのことを考慮しており、したがって受信したメールのうち操作者にとって不要なメールが受信メール記録部２１から削除されるとともに、その不要なメールの送信元メールアドレスが削除メール記録部２２へ追加される。これによって操作者にとって不要なメールを確実に削除することができる。
【０１３４】
本発明の実施のさらに他の形態では、前述の図３のステップｓ５において、送信アドレス判定部３８によって、前記抽出された送信元メールアドレスが送信アドレス記録部２４に記録される送信メールアドレス中に存在しないと判定されたとき、受信メール処理部３７は、前記送信アドレス記録部２４に記録される送信メールアドレス中に存在しないと判定された送信元メールアドレスのメールを、その送信メールアドレス中に存在しないと判定された送信元メールアドレスとともに受信メール記録部２１から削除するとともに、その送信メールアドレス中に存在しないと判定された送信元メールアドレスを削除メール記録部２２へ追加する。前記削除したメール、すなわち前記送信メールアドレス中に存在しないと判定された送信元メールアドレスの受信メールは、前記予め定める条件に基づいて削除されたメールである。
【０１３５】
つまり受信メール処理部３７は、アドレス帳判定部３３によって、前記抽出された送信元メールアドレスがアドレス帳記録部２３に記録される登録メールアドレス中に存在しないと判定され、かつ送信アドレス判定部３４によって、前記抽出された送信元メールアドレスが送信アドレス記録部２４に記録される送信メールアドレス中に存在しないと判定されたとき、前記送信アドレス記録部２４に記録される送信メールアドレス中に存在しないと判定された送信元メールアドレスのメールを、その送信メールアドレス中に存在しないと判定された送信元メールアドレスとともに受信メール記録部２１から削除するとともに、その送信メールアドレス中に存在しないと判定された送信元メールアドレスを削除メール記録部２２へ追加する。
【０１３６】
操作者は、友人および知人のメールアドレスをアドレス帳記録部２３に記録しておくという傾向がある。このアドレス帳記録部２３に記録されていないメールアドレスであっても、過去に送信したことがある送信先のメールアドレスは、友人および知人のメールアドレスである可能性が高い。
【０１３７】
アドレス帳記録部２３に記録されていなく、かつ送信アドレス記録部２４にも記録されていない未記録メールアドレスは、友人および知人のメールアドレスではない可能性がより高い。友人および知人からではないメールは、操作者にとって不要なメールであることが多い。
【０１３８】
本実施の形態は、これらのことを考慮しており、したがって受信したメールのうちより確実に不要なメールが受信メール記録部２１から削除されるとともに、その不要なメールの送信元メールアドレスが削除メール記録部２２へ追加される。したがって操作者にとって必要なメールである友人および知人からのメールを誤って削除してしまうことを防ぐことができる。
【０１３９】
本発明の実施のさらに他の形態では、前述の図３のステップｓ６において、受信アドレス判定部３９によって、前記抽出された送信元メールアドレスが、受信アドレス記録部２５に記録される受信メールアドレス中に存在すると判定されたとき、受信メール処理部３７は、前記受信アドレス記録部２５に記録される受信メールアドレス中に存在すると判定された送信元メールアドレスのメールを、その受信メールアドレス中に存在すると判定された送信元メールアドレスとともに受信メール記録部２１から削除するとともに、その受信メールアドレス中に存在すると判定された送信元メールアドレスを前記削除メール記録部２２へ追加する。前記削除したメール、すなわち前記受信メールアドレス中に存在すると判定された送信元メールアドレスの受信メールは、前記予め定める条件に基づいて削除されたメールである。
【０１４０】
操作者は、友人および知人のメールアドレスをアドレス帳記録部２３に記録しておくという傾向がある。受信アドレス記録部２５には、未記録メールアドレスに対応する送信元からメールを受信したとき、その送信元のメールアドレスである受信メールアドレスが記録される。したがって受信アドレス記録部２５に記録される受信メールアドレスは、アドレス帳記録部２３に記録されていないメールアドレスであって、友人および知人のメールアドレスではない可能性が高い。友人および知人からではないメールは、操作者にとって不要なメールであることが多い。
【０１４１】
また未記録メールアドレスに対応する送信元からのメールは、操作者がそのメールを読まなければ、操作者にとって不要なメールであるか否か判断することができない。
【０１４２】
本実施の形態は、これらのことを考慮しており、したがって受信したメールのうち操作者にとって必要なメールが受信メール処理部３７によって誤って削除されることがなく、操作者にとって不要なメールが受信メール記録部２１から削除されるとともに、そのメールの送信元メールアドレスが削除メール記録部２２へ追加される。
【０１４３】
本発明の実施のさらに他の形態の受信メール処理プログラムは、携帯電話機１０に備えられるコンピュータを、前述の実施の各形態の受信メール記録部２１、削除メール記録部２２、削除メール判定部３２、受信メール処理部３７として機能させる。
【０１４４】
本実施の形態では、携帯電話機１０に備えられるコンピュータによって前述の受信メール処理プログラムが実行され、メールを受信すると、その受信したメールがその送信元メールアドレスとともに受信メール記録部２１に記録され、削除メール判定部３２によって受信メール記録部２１に記録される送信元メールアドレスが、削除メール記録部２２に記録される送信元メールアドレス中に存在するか否かが判定され、この判定結果に応じて、受信メール記録部２１に記録されたメールおよびその送信元メールアドレスを受信メール処理部３７によって削除することができる。
【０１４５】
このようにして受信メール記録部２１に記録されたメールおよびその送信元メールアドレスが削除されるので、予め定める条件に基づいて一度削除されたメールと同じ送信元メールアドレスとともに受信されたメールを、その送信元メールアドレスとともに受信メール記録部２１から削除する受信メール処理を携帯端末装置に備えられるコンピュータ上に実現することができる。
【０１４６】
前述の実施の各形態では、携帯端末装置は携帯電話機１０として実現されたが、本発明の実施のさらに他の形態では、携帯端末装置は簡易型携帯電話機（
Ｐｅｒｓｏｎａｌ　Ｈａｎｄｙｐｈｏｎｅ　Ｓｙｓｔｅｍ、略称ＰＨＳ）として実現されてもよいし、携帯情報端末（Ｐｅｒｓｏｎａｌ　Ｄｉｇｉｔａｌ　Ａｓｓｉｓｔａｎｔｓ、略称ＰＤＡ）として実現されてもよい。
【０１４７】
【発明の効果】
以上のように本発明によれば、受信したメールのうち、予め定める条件に基づいて一度削除されたメールと同じ送信元メールアドレスとともに受信したメールは、受信メール処理部によって送信元メールアドレスとともに受信メール記録部から削除される。これによって受信したメールを操作者にとって必要なメールおよび不要なメールのいずれかに選別すること、および受信したメールのうち操作者にとって不要なメールを削除することに要する操作者の負担を軽減することができる。
【０１４８】
また本発明によれば、受信メール記録部に記録されるメールが開封されることなく削除されたとき、受信メール処理部が、前記削除されたメールの送信元メールアドレスを削除メール記録部へ追加するので、操作者の負担を増加させることなく、前記削除されたメールの送信元メールアドレスを削除メール記録部へ追加することができる。
【０１４９】
また本発明によれば、受信メール記録部に記録されるメールが開封されてから予め定める時間内に削除されたとき、受信メール処理部が、前記削除されたメールの送信元メールアドレスを削除メール記録部へ追加するので、操作者の負担を増加させることなく、前記削除されたメールの送信元メールアドレスを削除メール記録部へ追加することができる。
【０１５０】
また本発明によれば、操作者の負担を増加させることなく、受信したメールのうち操作者にとって不要なメールを受信メール記録部から削除し、そのメールの送信元メールアドレスを削除メール記録部へ追加することができる。
【０１５１】
また本発明によれば、操作者の負担を増加させることなく、受信したメールのうち操作者にとってより確実に不要なメールを受信メール記録部から削除し、そのメールの送信元メールアドレスを削除メール記録部へ追加することができる。
【０１５２】
また本発明によれば、受信したメールのうち操作者にとって必要なメールを受信メール処理部によって誤って削除することなく、操作者にとって不要なメールを受信メール記録部から削除し、そのメールの送信元メールアドレスを削除メール記録部へ追加することができる。
【０１５３】
また本発明によれば、予め定める文字列として、操作者にとって不要なメールの題名に含まれる可能性が高い文字列を設定することによって、その文字列を題名に含むメール、すなわち操作者にとって不要なメールを受信メール記録部から削除することができる。
【０１５４】
また本発明によれば、予め定める文字列として、操作者にとって不要なメールの本文に含まれる可能性が高い文字列を設定することによって、その文字列を本文に含むメール、すなわち操作者にとって不要なメールを受信メール記録部から削除することができる。
【０１５５】
また本発明によれば、受信したメールのうち、予め定める条件に基づいて一度削除されたメールと同じ送信元メールアドレスとともに受信されたメールは、削除される。これによって受信したメールを操作者にとって必要なメールおよび不要なメールのいずれかに選別すること、および受信したメールのうち操作者にとって不要なメールを削除することに要する操作者の負担を軽減することができる。
【０１５６】
また本発明によれば、記録したメールが開封されることなく削除されたとき、削除されたメールの送信元メールアドレスが、予め定める条件に基づいて削除されたメールの送信元メールアドレスとして記録されるので、操作者にとって不要なメールの送信元メールアドレスと同じ送信元メールアドレスとともに再度受信したメールを、削除することができる。
【０１５７】
また本発明によれば、記録したメールが開封されてから削除されるまでの時間が予め定める時間内であるとき、削除されたメールの送信元メールアドレスが、予め定める条件に基づいて削除されたメールの送信元メールアドレスとして記録されるので、操作者にとって不要なメールの送信元メールアドレスと同じ送信元メールアドレスとともに再度受信したメールを、削除することができる。
【０１５８】
また本発明によれば、受信したメールのうち操作者にとって不要なメールを削除するとともに、そのメールの送信元メールアドレスを前記予め定める条件に基づいて削除されたメールの送信元メールアドレスとして記録することができるので、操作者にとって不要なメールを確実に削除することができる。
【０１５９】
また本発明によれば、受信したメールのうち操作者にとってより確実に不要なメールを削除するとともに、そのメールの送信元メールアドレスを前記予め定める条件に基づいて削除されたメールの送信元メールアドレスとして記録することができる。
【０１６０】
また本発明によれば、受信したメールのうち操作者にとって必要なメールを誤って削除することがなく、操作者にとって不要なメールを削除するとともに、そのメールの送信元メールアドレスを前記予め定める条件に基づいて削除されたメールの送信元メールアドレスとして記録することができる。
【０１６１】
また本発明によれば、予め定める文字列として、不要なメールの題名に含まれる可能性が高い文字列を設定することによって、その文字列を題名に含むメール、すなわち不要なメールを削除することができる。
【０１６２】
また本発明によれば、予め定める文字列として、不要なメールの本文に含まれる可能性が高い文字列を設定することによって、その文字列を本文に含むメール、すなわち不要なメールを受信メール記録部から削除することができる。
【０１６３】
また本発明によれば、予め定める条件に基づいて一度削除されたメールと同じ送信元メールアドレスとともに受信されたメールを、その送信元メールアドレスとともに受信メール記録部から削除する受信メール処理を携帯端末装置に備えられるコンピュータ上に実現することができる。
【図面の簡単な説明】
【図１】本発明の実施の一形態の携帯電話機１０の構成を簡略化して示すブロック図である。
【図２】携帯電話機１０を含む通信ネットワーク４１の構成を簡略化して示す図である。
【図３】図１に示される携帯電話機１０の受信メールの処理を説明するためのフローチャートである。
【図４】携帯電話機１０の図３に続く受信メールの処理を説明するためのフローチャートである。
【符号の説明】
１０　携帯電話機
２１　受信メール記録部
２２　削除メール記録部
２３　アドレス帳記録部
２４　送信アドレス記録部
２５　受信アドレス記録部
３１　受信メールアドレス判別部
３２　削除メール判定部
３３　アドレス帳判定部
３４　送受信アドレス判定部
３５　題名判定部
３６　本文判定部
３７　受信メール処理部
３８　送信アドレス判定部
３９　受信アドレス判定部
【図１】
2004086361.tif 000003
【図２】
2004086361.tif 000004
【図３】
2004086361.tif 000005
【図４】
2004086361.tif 000006